(57)【要約】【課題】  手動式の注水装置では注水に伴うタンク内の圧力低下のために頻繁に再加圧する必要があり、エンジンカッタによる切断等の作業の他に加圧操作が必要となり、作業が煩雑となりエンジンカッタによる作業の効率が低下する。また、ブレードへの注水が止まると冷却不足により、ブレードの磨耗が注水時に比べ早く進行し、ブレードの寿命が短くなると共に切断によって生じる粉塵で作業中の視界が悪化し作業効率が低下してしまう。【解決手段】エンジンの回転によるポンプ作用により注水タンク内を連続して自動加圧する加圧装置を設けると共に、タンク内圧力を一定に保ち給水量を一定とする構成とする。【選択図】  図３
2012232442.tif 000002
【特許請求の範囲】
【請求項１】
駆動源と、
前記駆動源を有する本体部と、
前記駆動源により駆動されるカッターと、
前記カッターに冷却液を供給する冷却液供給部とを備え、
前記本体部に設けられたハンドルを把持して作業を行う携帯用切断機において、
前記駆動源の出力により、前記冷却液を保持するタンク部に空気を圧送可能な加圧装置を備えたことを特徴とする携帯用切断機。
【請求項２】
前記加圧装置と前記タンク部とは、一方向のみに空気を圧送可能な逆止弁を介して接続されていることを特徴とする請求項１に記載の携帯用切断機。
【請求項３】
前記タンク部は、前記タンク部内の圧力が所定の圧力以上となった際に圧力を外部に逃がす安全弁を有することを特徴とする請求項１又は請求項２に記載の携帯用切断機。
【請求項４】
前記加圧装置は、一端が大気に開放され、他端が前記タンク部に接続される空気通路と、
前記駆動源により動作し、前記空気通路内に溜まった空気を前記一端側から前記他端側に向けて押し出すことで、前記タンク部に空気を圧送する圧縮部とを備えたことを特徴とする請求項１乃至請求項３のうち何れか一項に記載の携帯用切断機。
【請求項５】
前記空気通路は円弧状に配置された弾性部材からなるチューブにより構成されると共に、
前記圧縮部は前記チューブに沿って移動可能であると共に、前記チューブを押圧する回転可能に支持されたローラを備えることを特徴とする請求項４に記載の携帯用切断機。
【発明の詳細な説明】
【技術分野】
【０００１】
本発明は、小型エンジンや電動モーター等の原動機を動力源とする携帯用の切断機に関し、特に切断部への注水機構を備えた携帯用切断機に関する。
【背景技術】
【０００２】
従来、原動機を備えた本体部にブレード等の切断具及びブレードカバー等を取り付け、コンクリート等の切断作業を行うエンジンカッタ−が知られている（特許文献１）。エンジンカッターにおいては、ブレード部に冷却水等を供給しながら切断作業が行われる。また、ブレード部への冷却水への供給としては、例えば手動式の注水装置が用いられる。
【０００３】
図７乃至図９を用いてブレード部へ冷却水を供給するための手動式の注水装置について説明を行う。注水装置は冷却水を出力するホース１６と冷却水を保持する注水タンク１４を有し、注水タンク１４はタンク部１４ａと蓋１４ｂで構成され気密性を有している。蓋１４ｂにはポンプ操作部１５ａ、カップ１５ｂ、逆止弁１５ｃからなるポンプ１５とホース１６が設けられポンプ１５の操作により注水タンク１４内部を加圧してホース１６から水を吐き出しエンジンカッターのブレードまで供給される構成になっている。
【０００４】
注水タンク１４内部の加圧はポンプ１５の操作部１５ａを作業者が手動で上下に動かすことで行われる。図８に示すように操作部１５ａを下方に動かすとポンプ内の圧力が上昇し逆止弁１５ｃが開きタンク内を加圧する。また、図９に示すように上方に動かすとでは逆止弁１５ｃは閉じカップ１５ｂが開きポンプ内に外部から空気が流入する。この繰り返しにより、注水タンク内は徐々に加圧されホース１６から水を吐き出す。しかしながら、注水タンク１４内の圧力は水を吐き出すに従い除々に低下し、低下の都度再加圧する必要がある。
【０００５】
尚、注水のためのポンプとしては手動のほかに電動モータにより加圧するタイプのものやタンク自体を高い位置に置き重力により注水するもの。水道の蛇口に接続し水圧により注水するものなど（図示せず）がある。
【先行技術文献】
【特許文献】
【０００６】
【特許文献１】実開昭６３−１９８５０２号公報
【発明の概要】
【発明が解決しようとする課題】
【０００７】
前述のように、従来の手動式の注水装置では注水タンク内を加圧して使用するが、注水に伴うタンク内の圧力低下のために頻繁に再加圧する必要があり、エンジンカッタによる切断等の作業の他に加圧操作が必要となり、作業が煩雑となりエンジンカッタによる作業の効率が低下する。
【０００８】
また、タンク内圧力は注水と共に低下し、圧力の低下に伴いノズルからの注水量も減少する。さらにホースの長さなどによって決まる圧力以下になると、注水そのものが停止してしまう。ブレードへの注水が止まると冷却不足により、ブレードの磨耗が注水時に比べ早く進行し、ブレードの寿命が短くなると共に切断によって生じる粉塵で作業中の視界が悪化し作業効率の低下や、周辺への飛散で迷惑が及ぶ恐れがある。
【０００９】
本発明は、上記課題に鑑みてなされたものであり、冷却水の供給に係る作業者の疲労を低減すると共に、安定した注水を行うことのできる携帯用切断機を提供することを目的とする。
【課題を解決するための手段】
【００１０】
上記問題の解決には、エンジン回転によるポンプ作用により注水タンク内を連続して自動加圧すると共に、タンク内圧力を一定に保ち給水量を一定とする構成とすることで達成できる。
【発明の効果】
【００１１】
本発明によれば、作業中に手動による煩雑な加圧作業が不要となると共に、ブレードの冷却や粉塵の低減に必要な注水量を常に一定に保つことが可能となる。
【図面の簡単な説明】
【００１２】
【図１】本発明のエンジンカッターの側面図。
【図２】図１のII−II断面図。
【図３】加圧装置及び注水タンクの構成を示す概略図。
【図４】注水タンク周辺の詳細図。
【図５】図１のＶ−Ｖ線断面図。
【図６】図５の注水機構の詳細図。
【図７】従来の手動式の冷却液供給装置を示す構成図。
【図８】図７の装置のポンプ加圧工程を示す図。
【図９】図７の装置のポンプ吸気工程を示す図。
【発明を実施するための形態】
【００１３】
以下、本発明の実施形態を添付図面に沿って説明する。図１に示すように、エンジンカッター（携帯用切断機）３０は、２サイクルエンジン（駆動源）１を支持する本体部を備える。本体部３１は、エンジン１を停止する図示しないストップスイッチと、エンジン１の出力を調整するスロットルトリガ３３が配置されたリアハンドル３２と、フロントハンドル３４を備える。また、本体部３１は、リアハンドル３２の延出方向（図の左方向）と逆方向（図の右方向）に延び、本体部３１と離れた側の端部に円板状のブレード８が回転可能に取付けられたアーム３５を備える。アーム３５の両端部には、ブレード８の回転軸に取付けられたブレード側プーリ（従動プーリ）５と、エンジン１の出力軸２に遠心クラッチを介して接続されるエンジン側プーリ（駆動プーリ）７とがそれぞれ回転可能に支持される。ブレード側プーリ５とエンジン側プーリ７とにはベルト６が巻き掛けられ、エンジン１の出力はエンジン側プーリ５からベルト６、カッター側プーリ７を経由してブレード８に伝達される。
【００１４】
図２に示すように、エンジン１は、往復動するピストン４３を収容するシリンダボアが形成されたシリンダブロック４１を有する。ピストン４３の往復動はピストンピン４４、コンロッド４５、クランクピン４６を介してクランクケース４２に回転可能に支持されるクランクシャフト２に伝達される。クランクケース１９から突出するクランクシャフト２には、クランクシャフト２の回転数が所定以上になると遠心力で外方に広がるクラッチ入力部材３が取付けられる。クラッチ入力部材３の外周には円板状壁面と円板状壁面の周縁部に設けられる環状周面を有する鋼材等の磁性材料から成るクラッチドラム４が設けられる。クラッチ入力部材３とクラッチドラム４とは、クランクシャフト２の回転数が所定以上になるとクラッチ入力部材３がクラッチドラムの環状周面の内壁に接触してクランクシャフト２の回転をクラッチドラム４に伝達する遠心クラッチを構成する。クラッチドラム４の円板状壁面には孔部が設けられ、孔部にエンジン側プーリ５が圧入されることでクラッチドラム４にエンジン側プーリ５が固定される。エンジン１から延出されるクランクシャフト２の遠心クラッチが設けられる先には、エンジンカッター３０に収容された注水タンク１４に接続される加圧装置１７が設けられる。加圧装置１７は、クランクシャフト２の端部に着脱可能に構成される駆動軸１８を有し、駆動軸１８はネジやスプライン等によりクランクシャフト２と同軸上に取り付けられている。
【００１５】
図３に示すように、加圧装置１７は、クランクシャフト２に取り付けられた駆動軸１８と、駆動軸１８から径方向に延びる２本のアーム２８の両端に回転可能に取り付けられるローラ１９と、ローラ１９の軌道上に設けられる筒状のチューブ（空気通路）２０と、チューブ２０を外周側から支持する円弧状のチューブガイド２１を備えて構成されている。チューブガイド２１は、エンジンカッター３０の本体部に固定されると共に、チューブ２０が間に介在しても駆動軸１８が回転可能なようローラ１９の回転半径より若干大きく形成されている。チューブ２０は空気を加圧するためにゴム等の柔軟性を有する材質によって形成されており、一端の吸気部２０ｂが大気に開放された状態となり、他端の排気部２０aが逆止弁２５を介して冷却水（冷却液）２３を保持する注水タンク１４に接続されている。
【００１６】
図４に示すように、注水タンク１４は蓋部１４ｂが注水タンク１４のタンク部１４aに密閉に取り付けられ、蓋部１４ｂには加圧装置１７からの圧力が流入する逆止弁２５と、安全弁２２と、一端が注水タンク１４aの水の水面下に位置するホース１６が設けられている。チューブ２０の排気部２０aは上方から逆止弁２５に接続され、逆止弁２５は注水タンク１４aの空気部分に開口するよう設けられている。チューブ２０の排気部２０aと注水タンク１４aとの間に設けられた逆止弁２５は、注水タンク１４aの内部側に取り付けられ、加圧装置１７から注水タンク１４に流入する方向に圧力が加わった際に開口して空気を通過可能とすると共に、注水タンク１４から加圧装置１７側への圧力が生じた際には閉鎖して空気の通過を防止する。これにより、注水タンク１４の圧力が上昇したときの空気の逆流を防止すると共に、エンジン１を停止させた場合の注水タンク１４内の圧力の低下を防止することができる。安全弁２２は、注水タンク１４内の圧力が設定値以上になると開放し、注水タンク１４内の圧力を一定に保持する役割を有している。ホース１６の他端は、図１に示すよう本体部３１のカバー部を貫通して設けられた継手１３を介して外部の供給ホース１１に接続されている。
【００１７】
ブレード８周辺の構造を図５及び図６に示す。図５は図６の要部拡大図である。ブレード８の外周及び側面には、アーム３５に取り付けられたブレードカバー９が設けられている。ブレードカバー９の側面の一方または両側面には、供給ホース１１が接続されたノズル（冷却液供給部）１０が取り付けられている。ノズル１０は、内部が筒状に形成され、先端部がブレードカバー９の内側に突出して設けられる。ノズル１０は供給ホース１１に接続され冷却液が流入すると共に、連結ホース１２によりブレードカバー９の反対側の側面に設けられた別のノズル１０に接続されている。
【００１８】
このように構成されたエンジンカッター３０によれば、エンジン１が始動するとクランクシャフト２が回転する。そして、加圧装置１７のクランクシャフト２の端部に取り付けられた駆動軸１８が回転し、チューブ２０内に溜まった空気を端部のローラ１９により押し出すことで排気部２０aから空気が流出する。ローラ１９によりチューブ２０から押し出された空気は、排気部２０aを通って逆止弁２５を圧力により開口させ、注水タンク１４に流入する。チューブ２０には、ローラ１９により押し出された分の空気が吸気部２０ｂから補充され、クランクシャフト２の回転に伴い、順次圧送される。注水タンク１４では、圧送される空気により、空気部分の圧力が上昇し、これによりタンク内の冷却水２３はホースにより押し出され、本体の外部に設けられた継手及び供給ホースを介してノズル１０から噴射される。ブレード８の側面に向けられたノズル１０は、先端部の孔１０aから冷却水を噴出し、切断中のブレード８の冷却と切断時に発生する粉塵を抑えることができる。尚、注水タンク１４の空気には加圧装置１７により順次空気が押し出されるため、エンジン１の駆動中はブレード８に常時冷却水が送られる。また、注水タンク１４内の圧力は安全弁２２により常に一定に保たれ、これによりノズル１０からの注水量は常に一定に保たれる。
【００１９】
以上のように構成することで、作業中に手動による煩雑な加圧作業が不要となると共に、ブレードの冷却や粉塵の低減に必要な注水量を常に一定に保つことが可能となる。
【００２０】
以上、実施形態を説明したが、種々の変形が可能である。例えば、ローラは駆動軸に２個配置される構成としたが、１個以上のローラがあればよい。また、本実施形態では、加圧装置の駆動軸をクランクシャフトの端部に直結された構成としたが、エンジンの使用回転数によっては減速機構を設けてもよい。このようにすることで、加圧装置のチューブ等の寿命の低下を抑制することが可能となる。また、加圧装置の駆動軸は、クランクシャフトの駆動に接続される構成としたが、クラッチハウジングや先端プーリなど回転部であれば接続場所は限定されず、特に、遠心クラッチのクラッチドラムより先に設けられる構成とすれば、エンジンがアイドリング中でカッターが切断作業を行っていないときには、冷却水の供給を自動で停止することができるため、冷却水の使用を節約することができ、作業者の冷却水の補充頻度を低減することができ、作業性が向上する。また、ブレードに供給する液体は水だけでなく工業用の冷却液等を用いることもできる。また、注水タンクを本体部に設けたが、外部に設けてもよい。また、駆動源としては、明細書内で説明したエンジンの他に電動モータを用いるものであっても良い。
【符号の説明】
【００２１】
１  エンジン、２  クランクシャフト、６  ベルト、８  ブレード、１０  ノズル、１１  供給ホース、１４  注水タンク、１６  ホース、１７  加圧装置、１８  駆動軸、１９  ローラ、２０  チューブ、２１  チューブガイド、２２  安全弁、２５  逆止弁、  ３０  エンジンカッター
【図１】
2012232442.tif 000003
【図２】
2012232442.tif 000004
【図３】
2012232442.tif 000005
【図４】
2012232442.tif 000006
【図５】
2012232442.tif 000007
【図６】
2012232442.tif 000008
【図７】
2012232442.tif 000009
【図８】
2012232442.tif 000010
【図９】
2012232442.tif 000011